(57)【特許請求の範囲】
【請求項１】
入力された光信号を用いて、出力側に接続された複数の光ファイバのうちの測定光ファイバに所定時間だけ出力を切り替えることにより、前記測定光ファイバにパルス状の光信号を発信可能な光切替器と、
前記測定光ファイバ内の故障箇所である検査対象位置において、前記光切替器から発信された前記パルス状の光信号が反射または散乱することによって戻ってくる戻り光を、前記測定光ファイバから分岐させる方向性結合器と、
該方向性結合器によって分岐された戻り光を受信する光受信器と、
を備え、
前記光切替器から前記パルス状の光信号が発信されてから前記光受信器によって前記戻り光を受信するまでの時間によって、前記光切替器又は前記光受信器から前記測定光ファイバ内の前記故障箇所である前記検査対象位置までの距離を測定することを特徴とする距離測定装置。
【請求項２】
前記光切替器は、入力される異なる複数の波長毎の光を用いて、前記測定光ファイバにパルス状の光信号を発信可能な光切替器であることを特徴とする請求項１に記載の距離測定装置。
【請求項３】
前記光切替器は、オンオフ制御によって傾き位置が変化する微小ミラーにより、入力された光信号を反射させることによって、出力側に接続された前記複数の光ファイバのうちの前記測定ファイバに入射可能なＤＭＤを有することを特徴とする請求項１または２に記載の距離測定装置。
【請求項４】
入力された光信号を用いて、出力側に接続された測定光ファイバへの出力を所定時間だけ遮断状態から通過状態に切り替えることにより、前記測定光ファイバにパルス状の光信号を発信可能な光遮断器と、
前記測定光ファイバ内の故障箇所である検査対象位置において、前記光遮断器から発信された前記パルス状の光信号が反射または散乱することによって戻ってくる戻り光を、前記測定光ファイバから分岐させる方向性結合器と、
該方向性結合器によって分岐された戻り光を受信する光受信器と、
を備え、
前記光遮断器から前記パルス状の光信号が発信されてから前記光受信器によって前記戻り光を受信するまでの時間によって、前記光遮断器又は前記光受信器から前記測定光ファイバ内の前記故障箇所である前記検査対象位置までの距離を測定することを特徴とする距離測定装置。
【請求項５】
前記光遮断器は、入力される異なる複数の波長毎の光を用いて、前記測定光ファイバにパルス状の光信号を発信可能な光遮断器であることを特徴とする請求項４に記載の距離測定装置。
【請求項６】
前記光遮断器は、オンオフ制御によって傾き位置が変化する微小ミラーにより、入力された光信号を反射させることによって、出力側に接続された前記複数の光ファイバのうちの前記測定ファイバに入射可能なＤＭＤを有することを特徴とする請求項４または５に記載の距離測定装置。
【請求項７】
入力された光信号を用いて、出力側に接続された測定光ファイバへの出力を所定時間だけ遮断状態から解除することにより、前記測定光ファイバにパルス状の光信号を発信可能な光減衰器と、
前記測定光ファイバ内の故障箇所である検査対象位置において、前記光減衰器から発信された前記パルス状の光信号が反射または散乱することによって戻ってくる戻り光を、前記測定光ファイバから分岐させる方向性結合器と、
該方向性結合器によって分岐された戻り光を受信する光受信器と、
を備え、
前記光減衰器から前記パルス状の光信号が発信されてから前記光受信器によって前記戻り光を受信するまでの時間によって、前記光減衰器又は前記光受信器から前記測定光ファイバ内の前記故障箇所である前記検査対象位置までの距離を測定することを特徴とする距離測定装置。
【請求項８】
前記光減衰器は、入力される異なる複数の波長毎の光を用いて、前記測定光ファイバにパルス状の光信号を発信可能な光減衰器であることを特徴とする請求項７に記載の距離測定装置。
【請求項９】
前記光減衰器は、オンオフ制御によって傾き位置が変化する微小ミラーにより、入力された光信号を反射させることによって、出力側に接続された前記複数の光ファイバのうちの前記測定ファイバに入射可能なＤＭＤを有することを特徴とする請求項７または８に記載の距離測定装置。
【請求項１０】
前記測定光ファイバは、基幹ネットワークを構成する光ファイバであり、
前記測定光ファイバに対して任意の波長の光を加えることのできるアド用光切替器を備える光多重化装置において、
前記アド用光切替器が、前記請求項１，２または３に記載の距離測定装置における前記光切替器として用いられることを特徴とする光多重化装置。
【請求項１１】
請求項１，２または３に記載の距離測定装置における前記方向性結合器及び前記光受信器を備えることを特徴とする請求項１０に記載の光多重化装置。
【請求項１２】
測定光ファイバによって構成される基幹ネットワークと、
基幹ネットワーク上に設けられる複数の光多重化装置と、
各光多重化装置にそれぞれ接続される複数のローカルネットワークと、
を備える光ネットワークにおいて、
前記複数の光多重化装置のうちの少なくとも一つの光多重化装置に備えられたアド用光
切替器を、前記請求項１，２または３に記載の距離測定装置における前記光切替器として用いることを特徴とする光ネットワーク。
【請求項１３】
入力された光信号を用いて、出力側に接続された複数の光ファイバのうちの測定光ファイバに所定時間だけ出力を切り替えることにより、前記測定光ファイバにパルス状の光信号を発信可能な光切替器と、
前記測定光ファイバ内の故障箇所である検査対象位置において、前記光切替器から発信された前記パルス状の光信号が反射または散乱することによって戻ってくる戻り光を、前記測定光ファイバから分岐させる方向性結合器と、
該方向性結合器によって分岐された戻り光を受信する光受信器と、
を用い、
前記光切替器から前記測定光ファイバに前記パルス状の光信号を発信するステップと、
前記方向性結合器により分岐されることで前記測定光ファイバ内の検査対象位置から戻ってくる戻り光を、前記光受信器により受信するステップと、
前記光切替器から前記パルス状の光信号が発信されてから前記光受信器によって前記戻り光を受信するまでの時間によって、前記光切替器又は前記光受信器から前記測定光ファイバ内の前記故障箇所である前記検査対象位置までの距離を導出するステップと、
を有することを特徴とする距離測定方法。
【発明の詳細な説明】
【技術分野】
【０００１】
本発明は、光ファイバ内の検査対象位置（故障個所等）を特定するために、測定位置から検査対象位置までの距離を測定する距離測定装置，光多重化装置，光ネットワーク及び距離測定方法に関するものである。
【背景技術】
【０００２】
近年、光ネットワークにおいて、光信号を電気信号に変換することなく信号処理が可能で、かつパスの設定を遠隔操作することが可能なＲＯＡＤＭ（再構成可能光分岐挿入多重化装置（Reconfigurable Optical Add/Drop Multiplexer））等の光多重化装置が開発さ
れている（特許文献１参照）。
【０００３】
一般的に、光ファイバ内の検査対象位置を特定する場合、光パルスを発信する光源や、レイリー散乱による後方散乱光を検出する検出器などから構成されるＯＴＤＲ（光パルス試験器（Optical Time Domain Reflectmeter））が用いられる（特許文献２参照）。上記のように光多重化装置を用いた光ネットワークにおいても、光ネットワークを構成する光ファイバ内の故障個所等の検査対象位置を、ＯＴＤＲを用いて特定することが可能である。
【先行技術文献】
【特許文献】
【０００４】
【特許文献１】特開２０１０−９８５４５号公報
【特許文献２】特開平１１−１４２２９３号公報
【発明の概要】
【発明が解決しようとする課題】
【０００５】
上記の通り、故障個所等を調べるための専用の試験器（ＯＴＤＲ）を用いることによって、光ファイバ内の故障個所等の検査対象位置を特定することができる。
【０００６】
しかしながら、本願発明者は、光多重化装置の機能（より具体的には、光多重化装置に備えられる装置の機能）に着目し、当該機能を巧みに利用することにより、専用の試験器を用いなくても、光ファイバ内の検査対象位置の特定を実現するに至った。
【０００７】
本発明の目的は、専用の試験器（ＯＴＤＲ）を用いることなく、光ファイバ内の故障個所等を特定可能とする距離測定装置，光多重化装置，光ネットワーク及び距離測定方法を提供することにある。
【課題を解決するための手段】
【０００８】
本発明は、上記課題を解決するために以下の手段を採用した。
【０００９】
すなわち、本発明の距離測定装置は、
入力された光を用いて、出力側に接続された複数の光ファイバのうちの測定光ファイバに所定時間だけ出力を切り替えることにより、前記測定光ファイバにパルス状の光信号（例えば、約２０ｍｓの光パルス信号）を発信可能な光切替器（例えば、ＭＥＭＳ型光スイッチや導波路型光スイッチ）と、
前記測定光ファイバ内の検査対象位置において、前記光切替器から発信された光信号が反射（例えば、光ファイバの接続箇所からの反射）または散乱（例えば、故障個所における散乱）することによって戻ってくる戻り光を、前記測定光ファイバから分岐させる方向
性結合器（方向性結合カプラなど）と、
該方向性結合器によって分岐された戻り光を受信する光受信器と、
を備え、
前記光切替器から光信号が発信されてから前記光受信器によって前記戻り光を受信するまでの時間によって、前記光切替器又は前記光受信器から前記検査対象位置までの距離を測定することを特徴とする。
【００１０】
また、別の発明の距離測定装置は、入力された光を用いて、出力側に接続された測定光ファイバへの出力を所定時間だけ遮断状態から通過状態に切り替えることにより、前記測定光ファイバにパルス状の光信号（例えば、約２０ｍｓの光パルス信号）を発信可能な光遮断器と、
前記測定光ファイバ内の検査対象位置において、前記光遮断器から発信された光信号が反射（例えば、光ファイバの接続箇所からの反射）または散乱（例えば、故障個所における散乱）することによって戻ってくる戻り光を、前記測定光ファイバから分岐させる方向性結合器（方向性結合カプラなど）と、
該方向性結合器によって分岐された戻り光を受信する光受信器と、
を備え、
前記光遮断器から光信号が発信されてから前記光受信器によって前記戻り光を受信するまでの時間によって、前記光遮断器又は前記光受信器から前記検査対象位置までの距離を測定することを特徴とする。
【００１１】
更に別の発明の距離測定装置は、入力された光を用いて、出力側に接続された測定光ファイバへの出力を所定時間だけ遮断状態から解除することにより、前記測定光ファイバにパルス状の光信号（例えば、約２０ｍｓの光パルス信号）を発信可能な光減衰器と、
前記測定光ファイバ内の検査対象位置において、前記光減衰器から発信された光信号が反射（例えば、光ファイバの接続箇所からの反射）または散乱（例えば、故障個所における散乱）することによって戻ってくる戻り光を、前記測定光ファイバから分岐させる方向性結合器（方向性結合カプラなど）と、
該方向性結合器によって分岐された戻り光を受信する光受信器と、
を備え、
前記光減衰器から光信号が発信されてから前記光受信器によって前記戻り光を受信するまでの時間によって、前記光減衰器又は前記光受信器から前記検査対象位置までの距離を測定することを特徴とする。
【００１２】
これらの発明においては、光切替器，光遮断器又は光減衰器（以下、適宜、「光切替器等」と称する）を利用して、測定光ファイバにパルス状の光信号を発信することによって、光切替器等又は光受信器から検査対象位置までの距離を測定する構成を採用している。これにより、検査対象位置を特定することができる。従って、「測定光ファイバにパルス状の光信号を発信可能な光切替器等」を備えるネットワーク等においては、本発明の構成を採用することで、専用の試験器（ＯＴＤＲ）を用いることなく、光ファイバ内の検査対象位置（故障個所等）を特定することができる。
【００１３】
前記光切替器等は、入力される異なる複数の波長毎の光を用いて、前記測定光ファイバにパルス状の光信号を発信可能な光切替器等であるとよい。
【００１４】
これにより、特定の波長の光が通る経路の検査対象位置を特定することができる。
【００１５】
前記光切替器等は、オンオフ制御によって傾き位置が変化する微小ミラーにより、入力された光信号を反射させることによって、出力側に接続された前記複数の光ファイバのうちの前記測定ファイバに入射可能なＤＭＤを有するとよい。
【００１６】
これにより、光切替器等に入力される光信号が連続光であっても、ＤＭＤへのオンオフ制御による微小ミラーからの反射光の向きの切り替えによって、パルス状の光信号を発信することができる。
【００１７】
また、前記測定光ファイバは、基幹ネットワークを構成する光ファイバであり、
前記測定光ファイバに対して任意の波長の光を加えることのできるアド用光切替器を備える光多重化装置において、
前記アド用光切替器が、上記の距離測定装置における前記光切替器として用いられることを特徴とする。
【００１８】
このように、測定光ファイバに光多重化装置が接続されている場合には、光多重化装置に備えられたアド用光切替器により、パルス状の光信号を発生させることで、検査対象位置を特定することが可能となる。なお、アド用光切替器に入力させる光は、当該アド用光切替器を備えた光多重化装置内のトランスポンダから送られる光を利用してもよいし、他の光多重化装置内のトランスポンダから送られる光を利用してもよいし、光多重化装置以外の光源からの光を利用してもよい。
【００１９】
ここで、アド用光切替器が上記の距離測定装置における前記光切替器として用いられる光多重化装置内に、更に、上記の距離測定装置における前記方向性結合器及び前記光受信器を備えるとよい。
【００２０】
このようにすれば、一つの多重化装置内に、パルス状の光信号を発信する光切替器と、光受信器とが備えられるため、光切替器から光信号が発信されてから光受信器によって受信するまでの時間の測定を簡易的な構成で実現できる。
【００２１】
また、本発明の光ネットワークは、
測定光ファイバによって構成される基幹ネットワークと、
基幹ネットワーク上に設けられる複数の光多重化装置と、
各光多重化装置にそれぞれ接続される複数のローカルネットワークと、
を備える光ネットワークにおいて、
前記複数の光多重化装置のうちの少なくとも一つの光多重化装置に備えられたアド用光切替器を、上記の距離測定装置における前記光切替器として用いることを特徴とする。
【００２２】
これにより、専用の試験器（ＯＴＤＲ）を用いることなく、基幹ネットワークを構成する光ファイバ内の検査対象位置の特定を行うことができる。
【００２３】
また、本発明の距離測定方法は、
入力された光を用いて、出力側に接続された複数の光ファイバのうちの測定光ファイバに所定時間だけ出力を切り替えることにより、前記測定光ファイバにパルス状の光信号を発信可能な光切替器と、
前記測定光ファイバ内の検査対象位置において、前記光切替器から発信された光信号が反射または散乱することによって戻ってくる戻り光を、前記測定光ファイバから分岐させる方向性結合器と、
該方向性結合器によって分岐された戻り光を受信する光受信器と、
を用い、
前記光切替器から前記測定光ファイバにパルス状の光信号を発信するステップと、
前記方向性結合器により分岐されることで前記光ファイバ内の検査対象位置から戻ってくる戻り光を、前記光受信器により受信するステップと、
前記光切替器から光信号が発信されてから前記光受信器によって前記戻り光を受信する
までの時間によって、前記光切替器又は前記光受信器から前記検査対象位置までの距離を導出するステップと、
を有することを特徴とする。
【００２４】
なお、上記各構成は、可能な限り組み合わせて採用し得る。
【発明の効果】
【００２５】
以上説明したように、本発明によれば、専用の試験器（ＯＴＤＲ）を用いることなく、光ファイバ内の故障個所等の検査対象位置を特定することができる。
【図面の簡単な説明】
【００２６】
【図１】図１は光多重化装置を用いた光ネットワークの概略構成図である。
【図２】図２は本発明の第１の実施形態に係る光多重化装置のブロック図である。
【図３】図３は波長選択スイッチの概略構成図である。
【図４】図４は本発明の第１の実施形態に係る距離測定装置のブロック図である。
【図５】図５は本発明の第１の実施形態に係る距離測定装置の応用例１を示すブロック図である。
【図６】図６は本発明の第１の実施形態に係る距離測定装置の応用例２を示すブロック図である。
【図７】図７は波長ブロッカ（波長フィルタ）の概略構成図である。
【図８】図８は本発明の第２の実施形態に係る距離測定装置のブロック図である。
【発明を実施するための形態】
【００２７】
以下に図面を参照して、この発明を実施するための形態を例示的に詳しく説明する。ただし、この実施形態に記載されている構成部品の寸法、材質、形状、その相対配置などは、特に特定的な記載がない限りは、この発明の範囲をそれらのみに限定する趣旨のものではない。
【００２８】
（第１の実施形態）
図１〜図６を参照して、本発明の第１の実施形態に係る距離測定装置，光多重化装置，光ネットワーク及び距離測定方法について説明する。
【００２９】
＜光ネットワーク＞
特に、図１を参照して、本発明の第１の実施形態に係る距離測定装置を適用可能な光ネットワークについて説明する。
【００３０】
この光ネットワークは、リング状の光ファイバによって構成される基幹ネットワークＮの複数の箇所に光分岐及び光挿入の両方が可能な光多重化装置（ＲＯＡＤＭ）が設置されている。図１に示す例においては、Ａ地点，Ｂ地点，Ｃ地点，Ｄ地点の４か所にそれぞれ光多重化装置が設置されている場合を示している。以下、説明の便宜上、Ａ，Ｂ，Ｃ，Ｄ地点に配置された光多重化装置については、適宜、それぞれ第１光多重化装置１００ａ，第２光多重化装置１００ｂ，第３光多重化装置１００ｃ，第４光多重化装置１００ｄと称する。これら第１光多重化装置１００ａ，第２光多重化装置１００ｂ，第３光多重化装置１００ｃ、及び第４光多重化装置１００ｄには、オフィスや家庭などのユーザとネットワークを結ぶためのローカルネットワークｎ１，ｎ２，ｎ３，ｎ４がそれぞれ接続されている。
【００３１】
光多重化装置の代表的な例であるＲＯＡＤＭは、基幹ネットワークＮを流れる波長多重された光信号の中から任意の波長の光信号を取り出して、ローカルネットワークｎに送ることができ、また、ローカルネットワークｎの中から任意の波長の光信号を基幹ネットワ
ークＮに送ることもできる。図１においては、一例として、ある波長の光信号を、第１光多重化装置１００ａによってローカルネットワークｎ１から基幹ネットワークＮに送り、第３光多重化装置１００ｃによってローカルネットワークｎ３に送る場合（図中、矢印Ｐ１）と、別の波長の光信号を、第２光多重化装置１００ｂによってローカルネットワークｎ２から基幹ネットワークＮに送り、第４光多重化装置１００ｄによってローカルネットワークｎ４に送る場合（図中、矢印Ｐ２）を示している。なお、図中矢印Ｓは、正方向の光信号の流れの方向を示している。
【００３２】
ここで、光多重化装置は、光信号を電気信号に変換することなく信号処理を行うことができる。そのため、光多重化装置を用いた光ネットワークにおいては、基幹ネットワークＮとローカルネットワークｎとの相互の光信号の伝送速度を高速のまま維持できるメリットがある。また、光多重化装置を用いた光ネットワークにおいては、オペレーションセンター２００から光多重化装置ノードを遠隔制御可能であることから、パス（ある波長の光の経路）を自在に設定できるメリットもある。
【００３３】
＜光多重化装置＞
特に、図２を参照して、本発明の第１の実施形態に係る光多重化装置（ＲＯＡＤＭ）１００について説明する。
【００３４】
光多重化装置１００は、基幹ネットワークＮを流れる光信号を分岐させる光カプラ１０と、分岐された光信号のうち特定の波長の光信号をドロップさせるためのドロップ用波長選択スイッチ（ＷＳＳ）２０と、ドロップされた光信号が入力されて、ローカルネットワークｎ側に出力する第１トランスポンダ３０とを備えている。また、光多重化装置１００は、ローカルネットワークｎ側からの光信号が入力されて、基幹ネットワークＮ側に出力する第２トランスポンダ４０と、上記のドロップした波長の光信号をブロックすると共に、第２トランスポンダ４０から送られる光信号のうち特定の波長の光を基幹ネットワークＮに加えるアド用波長選択スイッチ（ＷＳＳ）５０とを備えている。なお、図中、点線１００Ｘで囲った部分は、一般的なＲＯＡＤＭが備える構成群を示している。
【００３５】
そして、本実施形態に係る光多重化装置１００においては、一般的なＲＯＡＤＭ１００Ｘが備える構成の他に、基幹ネットワークＮを逆方向（図１，２中矢印Ｓとは反対方向）に流れる光信号を分岐させる方向性結合器６０と、方向性結合器６０で分岐された光信号を受信する光受信器７０とを備えている。
【００３６】
＜波長選択スイッチ（ＷＳＳ）＞
光多重化装置１００に備えられるアド用波長選択スイッチ５０について説明する。波長選択スイッチ自体については公知技術であるので、図３の概略構成を示した図を用いて、概要のみを説明する。なお、以下の説明では、アド用波長選択スイッチ５０について説明するが、ドロップ用波長選択スイッチ２０については、光の進行方向が逆になるだけで、構成自体は同一である。また、波長選択スイッチには、光を集光するためのレンズや、拡散する光を平行光とするコリメータレンズなどの光学部品も備えられるが、図３では省略している。また、図３は１×２の波長選択スイッチを示している。この１×２の波長選択スイッチを後段に連結することをｎ回繰り返すことで１×２ｎの波長選択スイッチを構成できる。
【００３７】
アド用波長選択スイッチ５０は、ＤＭＤ（Digital Micromirror Device）５１と、入力ファイバｆ１，第１出力ファイバｆ２及び第２出力ファイバｆ３を結合するファイバアレイ５２と、光合波・分波器５３とを備えている。
【００３８】
ＤＭＤ５１は、複数の可動な微小ミラーを備えている。以下、説明の便宜上、図３中、
上から順に、適宜、第１微小ミラー５１ａ，第２微小ミラー５１ｂ，第３微小ミラー５１ｃ，第４微小ミラー５１ｄ，第５微小ミラー５１ｅ，第６微小ミラー５１ｆと称して説明する。これらの微小ミラーは、それぞれ、オンオフ制御によって、２つの傾き位置を取るように構成されている。
【００３９】
光合波・分波器５３は、多重化された波長の異なる複数の光信号を各波長の光信号に分波し、また、波長の異なる複数の光信号を合波するものであり、回折格子やＡＷＧ（アレイ導波路グレーティング（Arrayed Waveguide Grating））によって構成される。
【００４０】
以上の構成により、入力ファイバｆ１から光合波・分波器５３に入力された多重化された波長の異なる複数の光信号は、各波長の光信号に分波される。図３に示す例では、６種類の波長の光信号に分波され、各波長の光信号は、それぞれ第１微小ミラー５１ａ，第２微小ミラー５１ｂ，第３微小ミラー５１ｃ，第４微小ミラー５１ｄ，第５微小ミラー５１ｅ，第６微小ミラー５１ｆに入射する。各微小ミラーは、例えば、オンの場合には、入射する光を光合波・分波器５３のＨ部に導くように反射させ、オフの場合には、入射する光を光合波・分波器５３のＩ部に導くように反射させるように構成されている。図３に示す例では、第２微小ミラー５１ｂのみオフとし、その他の微小ミラーをオンとすることで、第２微小ミラー５１ｂからの反射光を第２出力ファイバｆ３に導き、その他の微小ミラーからの反射光は、光合波・分波器５３によって合波させた状態で第１出力ファイバｆ２に導く場合を示している。
【００４１】
このように、波長選択スイッチ（ＷＳＳ）は、多重化された波長の異なる複数の光信号の中から、任意の波長の光信号を第１出力ファイバｆ２に導き、残りの波長の光信号を第２出力ファイバｆ３に導くことができる。
【００４２】
なお、米国特許公報ＵＳ２００９／００２８５０１Ａ１には、波長選択スイッチの一例が開示されている。この公報に開示されている波長選択スイッチにおいては、分波された光信号を平行光とした状態でＤＭＤに入射させるためのコリメータレンズに対して、ＤＭＤからの反射光も導くように工夫した構成が開示されている。
【００４３】
＜距離測定装置＞
特に、図４を参照して、本発明の第１の実施形態に係る距離測定装置について説明する。図４は距離測定に関係する主要構成を示すブロック図である。
【００４４】
上述したように、光多重化装置１００においては、アド用波長選択スイッチ５０に向けて、第２トランスポンダ４０を介してローカルネットワークｎ側からの光信号が送られる（図２，図４中、矢印Ｔ１０）。そして、距離測定を行う場合には、コンピュータ８１の制御部からの命令に基づいて、コントローラ８２により、アド用波長選択スイッチ５０に備えられたＤＭＤ５１を制御することによって、基幹ネットワークＮを構成する光ファイバにパルス状の光信号を発信する（図２，図４中矢印Ｔ２０）。
【００４５】
ここで、所望の波長の光をパルス状の光信号として発信させる場合の具体例な方法について、上述した図３に示すアド用波長選択スイッチ５０を例にして説明する。例えば、第２微小ミラー５１ｂに入射される波長の光信号を距離測定用の光信号としたい場合、第２微小ミラー５１ｂをオンの状態から短時間オフにした後に再びオンの状態とする。ＤＭＤを用いた場合、オフにする時間を約２０ｍｓという短時間に設定することも可能である。これにより、第２出力ファイバｆ３に対して、第２微小ミラー５１ｂからの反射光が短時間だけ導かれる。従って、第２出力ファイバｆ３を通る光信号を、基幹ネットワークＮ内を通る多重化された光信号に加えるようにしておくことで、第２微小ミラー５１ｂに入射される波長の光信号をパルス状にして、基幹ネットワークＮを構成する光ファイバに発信
することが可能となる。
【００４６】
発信されたパルス状の光信号は、基幹ネットワークＮを構成する光ファイバ内の検査対象位置Ｐにおいて、反射または散乱する。すなわち、検査対象位置Ｐが光ファイバの接続箇所などの場合には、当該位置によって上記パルス状の光信号は反射する。また、検査対象位置Ｐが故障個所などの場合には、当該位置によって上記パルス状の光信号は散乱する。
【００４７】
このように、検査対象位置Ｐにおいて反射または散乱することによって戻ってくる戻り光は、方向性結合器６０によって、基幹ネットワークＮを構成する光ファイバから分岐される（図２，図４中、矢印Ｔ３０）。そして、方向性結合器６０によって光ファイバから分岐された戻り光は、光受信器７０により受信される。
【００４８】
コンピュータ８１においては、ＤＭＤ５１からパルス状の光信号を発信してから、光受信器７０によって戻り光を受信するまでの時間に基づいて、アド用波長選択スイッチ５０又は光受信器７０から検査対象位置Ｐまでの距離を導出する。なお、両者の距離を導出してもよい。これにより、検査対象位置Ｐを特定することができる。
【００４９】
＜距離測定方法＞
アド用波長選択スイッチ５０又は光受信器７０から検査対象位置Ｐまでの距離を測定する方法（手順）について、更に詳細に説明する。
【００５０】
コンピュータ８１においては、ＤＭＤ５１から光受信器７０までの距離（光路長）のデータが予め記憶されている。そして、距離測定を行う場合には、上記の通り、コンピュータ８１の制御部からの命令により、ＤＭＤ５１から基幹ネットワークＮを構成する光ファイバにパルス状の光信号を発信する。コンピュータ８１においては、パルス状の光信号を発信してから、光受信器７０によって戻り光を受信するまでの時間を計測する。そして、コンピュータ８１において、上記の計測された時間と、上述した予め記憶されているＤＭＤ５１から光受信器７０までの距離のデータとから、アド用波長選択スイッチ５０又は光受信器７０から検査対象位置Ｐまでの距離を算出（導出）する。
【００５１】
なお、当該距離の導出に際しては、複数回、パルス状の光信号を発信して、毎回距離を計算し、複数の計算結果の平均値を、アド用波長選択スイッチ５０又は光受信器７０から検査対象位置Ｐまでの距離として導出することで、当該距離の精度を高めるようにすることもできる。
【００５２】
＜本実施形態の優れた点＞
本実施形態に係る距離測定装置及び距離測定方法によれば、光多重化装置１００に備えられたアド用波長選択スイッチ５０からパルス状の光信号を発信することによって、アド用波長選択スイッチ５０又は光受信器７０から検査対象位置Ｐまでの距離を測定することができる。従って、専用の試験器（ＯＴＤＲ）を用いることなく、基幹ネットワークＮを構成する光ファイバ内の検査対象位置（故障個所等）を特定することが可能となる。
【００５３】
また、本実施形態においては、アド用波長選択スイッチ５０によって、光ファイバに対して所望の波長のパルス状の光信号を発信することができるので、検査したい波長の光が通る経路の検査対象位置を特定することができる。
【００５４】
また、本実施形態では、距離を測定するためにパルス状の光信号を発信させるためのアド用波長選択スイッチ５０を備える光多重化装置１００に対して、更に方向性結合器６０と光受信器７０とを設ける構成を採用している。従って、アド用波長選択スイッチ５０か
ら光信号が発信されてから光受信器７０によって受信するまでの時間の測定を簡易的な構成で実現できる。すなわち、例えば、図１に示す光ネットワークにおいて、複数配置される光多重化装置のうち、ある一か所に設置する光多重化装置を、図２に示す光多重化装置１００とするだけで、上記の時間の測定が可能となる。
【００５５】
＜その他＞
上記実施形態においては、方向性結合器６０及び光受信器７０が設けられた光多重化装置１００に備えられているアド用波長選択スイッチ５０からパルス状の光信号を発信する場合について説明した。しかしながら、パルス状の光信号を発信するアド用波長選択スイッチ５０は、方向性結合器６０及び光受信器７０が設けられた光多重化装置とは異なる光多重化装置に備えられたものを用いることも可能である。
【００５６】
例えば、図１に示す光ネットワークにおいて、Ｂ地点に配置する第２光多重化装置１００ｂに方向性結合器６０及び光受信器７０を設けておき、Ａ地点に配置される第１光多重化装置１００ａに備えられたアド用波長選択スイッチ５０からパルス状の光信号を発信するようにしてもよい。このような距離測定装置を採用した場合について、図５を参照して説明する。
【００５７】
図５に示す距離測定装置においては、第２光多重化装置１００ｂに、上述した図２に示す光多重化装置１００と同様に、方向性結合器６０及び光受信器７０を設ける。そして、距離測定を行う場合には、第１光多重化装置１００ａにおいて、第２トランスポンダ４０からアド用波長選択スイッチ５０に送られる光信号（図中矢印Ｔ１１）を用いて、基幹ネットワークＮを構成する光ファイバにパルス状の光信号を発信する（図中矢印Ｔ２１）。そして、検査対象位置からの戻り光を、第２光多重化装置１００ｂに設けられた光受信器７０によって受信する（図中矢印Ｔ３１）。
【００５８】
これにより、上述した距離測定装置及び方法と同様に、検査対象位置までの距離を測定することができる。なお、このような距離測定装置を採用する場合、距離測定に関しては、Ｂ地点に配置する第２光多重化装置１００ｂには、第２トランスポンダ４０及びアド用波長選択スイッチ５０は不要である（図５参照）。
【００５９】
また、上記実施形態においては、アド用波長選択スイッチ５０からパルス状の光信号を発信する場合において、当該アド用波長選択スイッチ５０が備えられている光多重化装置１００における第２トランスポンダ４０から送られる光信号を利用する場合について説明した。しかしながら、アド用波長選択スイッチ５０に入力させる光は、そのような光に限らない。例えば、他の光多重化装置内の第２トランスポンダ４０から送られる光や、光多重化装置以外の光源からの光を用いて、アド用波長選択スイッチ５０からパルス状の光信号を発信するようにしてもよい。後者の距離測定装置を採用した場合について、図６を参照して説明する。
【００６０】
図６に示す距離測定装置においては、基幹ネットワークＮを構成する光ファイバに、方向性結合器９１及びトランスミッタ９２を取り付けている。つまり、光多重化装置１００の外部に、これら方向性結合器９１及びトランスミッタ９２を取り付けている。そして、距離測定を行う場合には、トランスミッタ９２から、方向性結合器９１を介して光多重化装置１００におけるアド用波長選択スイッチ５０に送られる光信号（図中矢印Ｔ１２）を用いて、基幹ネットワークＮを構成する光ファイバにパルス状の光信号を発信する（図中矢印Ｔ２２）。そして、検査対象位置からの戻り光を、光多重化装置１００に設けられた光受信器７０によって受信する（図中矢印Ｔ３２）。これにより、上述した距離測定装置及び方法と同様に、検査対象位置までの距離を測定することができる。
【００６１】
また、上記実施形態では、戻り光を受信するための方向性結合器６０及び光受信器７０を光多重化装置内に設けた場合を示したが、これらは、必ずしも光多重化装置内に設ける必要はない。つまり、これら方向性結合器６０及び光受信器７０を、戻り光を受信するための専用の装置として、基幹ネットワークＮを構成する光ファイバに取り付けてもよい。
【００６２】
また、上記実施形態では、ＤＭＤを備える波長選択スイッチ（ＭＥＭＳ型光スイッチ）によって、パルス状の光信号を発信する場合を示したが、光スイッチ（光切替器）はこれに限られるものではない。すなわち、入力された光を用いて、測定光ファイバにパルス状の光信号を発信可能なものであれば、他の光スイッチを適用可能である。例えば、導波路型光スイッチも適用可能である。ただし、導波路型光スイッチの場合、ＤＭＤに比べて、パルス長は、より長いものとなる。
【００６３】
なお、特定の波長の光が通る経路の検査対象位置を特定する場合には、入力される異なる複数の波長の光の中から特定の波長の光を用いて、パルス状の光信号を発信可能な光スイッチを採用する必要がある。しかしながら、波長を特定する必要がない場合には、波長を選択する機能を有していない光スイッチを採用することができる。
【００６４】
（第２の実施形態）
図７及び図８には、第２の実施形態が示されている。上記第１の実施形態においては、入力される光を利用して、パルス状の光信号を発信させる光学装置として、光スイッチ（光切替器）を採用した場合について説明した。これに対して、本実施形態では、上記光学装置として、光ブロッカ（光遮断器）を採用する場合について説明する。基本的な構成については、上記第１の実施形態と同様であるので、同一の構成については、同一の符号を付して、適宜、その説明は省略する。
【００６５】
光ブロッカ自体については公知技術であるので、図７の概略構成を示した図を用いて、概要のみを説明する。なお、光ブロッカには、光を集光するためのレンズや、拡散する光を平行光とするコリメータレンズなどの光学部品も備えられるが、図７では省略している。
【００６６】
光ブロッカ５０Ｘは、ＤＭＤ（Digital MicromirrorDevice）５１Ｘと、入力ファイバ
ｆ４及び出力ファイバｆ５を結合するファイバアレイ５２Ｘと、光合波・分波器５３Ｘとを備えている。ＤＭＤ５１Ｘは、上記実施形態でも説明したように、複数の微小ミラー（適宜、第１微小ミラー５１Ｘａ，第２微小ミラー５１Ｘｂ，第３微小ミラー５１Ｘｃ，第４微小ミラー５１Ｘｄ，第５微小ミラー５１Ｘｅ，第６微小ミラー５１Ｘｆと称する）を備えている。
【００６７】
そして、入力ファイバｆ４から光合波・分波器５３Ｘに入力された多重化された波長の異なる複数の光信号は、各波長の光信号に分波されて、各微小ミラーに入射される。各微小ミラーは、例えば、オンの場合には、入射する光を光合波・分波器５３ＸのＪ部に導くように反射させ、オフの場合には、入射する光を上記Ｊ部から外す方向に反射させるように構成されている。これにより、上記Ｊ部に導かれた反射光は、光合波・分波器５３Ｘによって合波された状態で出力ファイバｆ５に導かれ（通過状態）、上記Ｊ部から外す方向に反射された光は、出力ファイバｆ５には導かれない（遮断状態）。
【００６８】
このように、光ブロッカ５０Ｘは、多重化された波長の異なる複数の光信号の中から、任意の波長の光信号を出力ファイバｆ５から出力させて、残りの波長の光を遮断することができる。
【００６９】
次に、図８を参照して、本発明の第２の実施形態に係る距離測定装置及び方法について
説明する。本実施形態に係る距離測定装置については、上述した第１の実施形態において、図４に示す構成のうち、アド用波長選択スイッチ５０が光ブロッカ５０Ｘに変更された点以外の構成は基本的に同一である。
【００７０】
本実施形態においても、上記実施形態１の場合と同様に、光ブロッカ５０Ｘを用いて、所望の波長の光をパルス状の光信号として発信させることができる。例えば、図７に示す第４微小ミラー５１Ｘｄに入射される波長の光信号を距離測定用の光信号としたい場合、第４微小ミラーをオフの状態から短時間オンにした後に再びオフの状態とする。これにより、出力ファイバｆ５に対して、第４微小ミラー５１Ｘｄからの反射光が短時間だけ導かれる。これにより、上記第１の実施形態と同様に、基幹ネットワークＮを構成する光ファイバにパルス状の光信号を発信できる。
【００７１】
本実施形態においては、トランスミッタ９３から送られる光信号（図中、矢印Ｔ１０Ｘ）を用いて、基幹ネットワークＮを構成する光ファイバにパルス状の光信号を発信する（図中矢印Ｔ２０Ｘ）。なお、トランスミッタ９３については、光ブロッカ５０Ｘを備える装置に具備する場合には、当該装置内のものを用いてもよいし、基幹ネットワークＮにＲＯＡＤＭが設けられている場合には、当該ＲＯＡＤＭ内のトランスポンダを用いても良いし、上述した図６に示す構成のように外付けのトランスミッタを用いても良い。
【００７２】
上記第１の実施形態の場合と同様に、発信されたパルス状の光信号は、基幹ネットワークＮを構成する光ファイバ内の検査対象位置Ｐにおいて、反射または散乱する。そして、検査対象位置Ｐにおいて反射または散乱することによって戻ってくる戻り光は、方向性結合器６０によって、基幹ネットワークＮを構成する光ファイバから分岐される（図８中、矢印Ｔ３０Ｘ）。そして、方向性結合器６０によって光ファイバから分岐された戻り光は、光受信器７０により受信される。このようにして、上記第１の実施形態の場合と同様に、光ブロッカ５０Ｘ又は光受信機７０から検査対象位置Ｐまでの距離を導出することができ、検査対象位置Ｐを特定することができる。
【００７３】
また、入力される光を利用して、パルス状の光信号を発信させる光学装置として、光フィルタ（光減衰器）を採用することもできる。光フィルタとしては、上述した図７に示す光ブロッカ５０Ｘと同様の構成を採用できる。
【００７４】
すなわち、上記の説明においては、図７に示す構成において、説明の便宜上、各波長に分波された光信号は、それぞれ一つの微小ミラーに導かれるかのごとく説明したが、実際には、各波長の光信号はそれぞれ複数の微小ミラー群に導かれるのが一般的である。従って、ある波長の光信号が入射される微小ミラー群のうち、オンにする微小ミラーとオフにする微小ミラーの個数を制御することによって、出力する光の強度を制御することができる。
【００７５】
そして、ある波長の光信号が入射される微小ミラー群における全ての微小ミラーをオフにして、出力ファイバｆ５に導かないようにすれば、光ブロッカと同様にある波長の光信号を遮断することができる。これにより、ある波長の光を遮断した状態から短時間だけ遮断状態を解除することによって、光ブロッカを利用する場合と同様に、パルス状の光信号を発信することができる。従って、図８に示す構成において、光ブロッカ５０Ｘの代わりに光フィルタとしても、光ファイバ内の検査対象位置を特定することができる。
【００７６】
＜その他＞
上記各実施形態において、距離測定に用いる光信号に対して、場所データ（光受信器７０までの距離を含むデータ）とパルスの発生時刻データとを情報として含む光信号を重ねて発信させる構成を採用することもできる。このようにすれば、コンピュータ８１におい
て、ＤＭＤ５１，５１Ｘ（ＤＭＤを備えていない光スイッチ等を採用する場合には、パルス状の光を発信する発信部）から光受信器７０までの距離のデータが予め記憶されていなくても、光受信器７０から検査対象位置Ｐまでの距離を導出することができる。
【００７７】
また、ＤＭＤ５１，５１Ｘに送られる光が連続光であっても、上記の通り、微小ミラーのオンオフ制御によって、パルス状の光信号を発信可能である。ここで、ＤＭＤ５１，５１Ｘに送る光に関しては、連続光である必要はなく、パルス光であってもよい。つまり、ＤＭＤ５１，５１Ｘからパルス光を発信できるのであれば、ＤＭＤ５１，５１Ｘに入力させる光は連続光であってもパルス光であってもよい。なお、他の光スイッチや光ブロッカや光フィルタを採用する場合も同様である。
【００７８】
また、本発明は、一つの光多重化装置に対して複数本（ｎ本）の入力用の光ファイバ及び出力用のファイバを接続したシステムについても適用可能である。すなわち、一つの光多重化装置によって、多重化された複数本（ｎ本）の光を同時に処理できる場合にも本発明を適用可能である。
【００７９】
また、上記実施形態においては、基幹ネットワークＮを構成する光ファイバ内の検査対象位置Ｐを特定するために、光受信器７０等から検査対象位置Ｐまでの距離を測定する場合について示したが、測定対象となる光ファイバは、基幹ネットワークＮを構成するものに限られるものではない。例えば、上述した図１に示す光ネットワークにおいて、ローカルネットワークを構成する光ファイバ内の検査対象位置を特定することも可能である。この場合においては、光多重化装置１００におけるドロップ用波長選択スイッチ２０を用いて光パルスを発信させればよい。また、光ファイバに、上述したような、入力光を用いて光パルスを発信可能な光スイッチ（光ブロッカまたは光フィルタでもよい）の他に、上述した方向性結合器及び光受信器が接続されていれば、上記光ネットワークを構成する光ファイバに限らず、各種光ファイバ内の検査対象位置を特定可能である。
【符号の説明】
【００８０】
５０…アド用波長選択スイッチ，６０…方向性結合器，７０…光受信器，Ｎ…基幹ネットワーク，Ｐ…検査対象位置
【図１】
0005734634.tif 000002
【図２】
0005734634.tif 000003
【図３】
0005734634.tif 000004
【図４】
0005734634.tif 000005
【図５】
0005734634.tif 000006
【図６】
0005734634.tif 000007
【図７】
0005734634.tif 000008
【図８】
0005734634.tif 000009